(57)【要約】【課題】外装箱に取出しシートを敷いて、収納物を収納する包装形態において、収納物を簡単に取出す。【解決手段】取出しシートの底面を中間で二分割して間に折返しを構成し、これを外装箱の底面に敷いて各収納物を収納する。取出す際は、取出しシートの片方の側面を上へ引上げると折返しが戻って底面全長が伸びつつ上昇するので、各収納物がスム―ズに持ち上がる。二分割した下面同士の間に隙間を設ければ下面同士の乗上げが防止でき、また折返し部を取出しシートの下側に設けて外装箱の内フラップ同士の隙間より短くすれば、取出しシートを敷いた時に折返しが内フラップの隙間に収まりシート上面を平らに形成できる。さらに折返し部を糊等で仮止めすれば折返しを仮固定したまま梱包できるので、作業性が向上する。【選択図】図３
2017145000.tif 000002
【特許請求の範囲】
【請求項１】
外装箱（１）の内部に敷き、収納物（３）を載せて収納する為の取出しシート（２）において、該取出しシートは、長方形を成し、該長方形の短辺に並行な複数の折線を有し、該折線を介して、下面（２ｊ）と、該下面の左右に隣接する側面（２ｔ、２ｕ）に連接され、該下面は左右の距離が延びる様に伸縮機構を有することを特徴とする取出しシート。
【請求項２】
該下面は該下面の下側に該伸縮機構を有することを特徴とする請求項１に記載の取出しシート。
【請求項３】
該取出しシートの下面（２ｊ）は、左下面（２ｋ）と右下面（２ｌ）を有し、該左下面と該右下面の間に、折線（２ｂ〜２ｅ）を介して左折返面（２ｍ）および中折返面（２ｎ）および右折返面（２ｏ）が連接され、該左折返面を該左下面に対して１８０度折返し、該中折返面を該左折返面を対して１８０度折返し、該右折返面を該右下面に対して１８０度折返し、該右折返面を該中折返面に対して１８０度折返し、該各折返しを戻すことによって、該下面部の距離が伸びる様に伸縮することを特徴とする請求項１又は請求項２に記載の取出しシート。
【請求項４】
該左折返面を該左下面の下側に１８０度折返し、該中折返面を該左折返面の下側に１８０度折返し、該右折返面を該右下面の下側に１８０度折返し、該中折返面を該右折返面の下側に１８０度折返したことを特徴とする請求項１乃至請求項３の何れか一項に記載の取出しシート。
【請求項５】
該左下面と該右下面の間に所定の隙間を設けたことを特徴とする請求項１乃至請求項４の何れか一項に記載の取出しシート。
【請求項６】
該外装箱は、互いに隣接する一対の外フラップ（１ｈ、１ｉ）および所定の空間を隔てて隣接する一対の内フラップ（１ｆ、１ｇ）によって外装箱下面を形成し、該取出しシートは、該下面の左右中央部において該左下面と該右下面に該二分割し、該中折返面が該下面下側の左右の中央部に配置され、該外装箱に該取出しシートを収納した状態において、該中折返面は該一対の該内フラップ同士の該空間に収まることを特徴とする請求項１乃至請求項５の何れか一項に記載の取出しシート。
【請求項７】
該取出しシートは、段ボール材で形成され、該長方形の長辺方向と並行に該段ボール材の目方向（２ａ）を設けたことを特徴とする請求項１乃至請求項６の何れか一項に記載の取出しシート。
【請求項８】
該左折返面を該１８０度折返した状態で該左下面の一部に接着し、該中折返面を該１８０度折返した状態で該左折返面の一部に接着し、該右折返面を該１８０度折返した状態で該中折返面の一部に接着し、該右下面を該１８０度折返した状態で該右折返面の一部に接着したことを特徴とする請求項１乃至請求項７の何れか一項に記載の取出しシート。
【請求項９】
該下面の左右に隣接した該側面に、さらに該折線を介して隣接した左右の上面（２ｖ、２ｗ）を設けたことを特徴とする請求項１乃至請求項８の何れか一項に記載の取出しシート。
【請求項１０】
該左右の上面に把持穴部（２ｘ、２ｙ）を設けたことを特徴とする請求項１乃至請求項９の何れか一項に記載の取出しシート。
【発明の詳細な説明】
【技術分野】
【０００１】
本発明は、収納物を収納する外装箱に関し、特に外装箱の内部に敷いてから収納物を載せ、これを引き上げて取り出す為の取出しシートに関する。
【背景技術】
【０００２】
従来、外装箱にすきまなく収納している複数の収納物を外装箱から取り出す時は、集合箱と収納物との僅かな隙間に指先を入れて取出したり、外装箱を横向きあるいは逆さにして取り出す様なことがあった。
【０００３】
しかし、この方法では、収納物に変形・傷が発生する場合があり、収納物が汚れ、商品価値を落としてしまうという問題がある。
【０００４】
この対策として、特許文献１の様に取出し用の取出しシートを使う方法がある。これは予め外装箱の中に下面部および左右の側面部を有するシートを敷いてから収納物を入れるものである。左右の側面部にはそれぞれ左右の上面部が接続しており、収納時はこれを折って収納物の上に重ねてから外装箱を封緘し、取り出す際は左右の上面部をつかんで取出しシートごと収納物を引き上げる。さらに、左右の上面部にそれぞれ貫通穴を開けておけば、取出し時に穴へ指を入れて容易に引き上げることができる。
【先行技術文献】
【特許文献】
【０００５】
【特許文献１】特開２０１３−２０３４７７号公報
【発明の概要】
【発明が解決しようとする課題】
【０００６】
ところで、特許文献１の方法で収納物を引き上げる際には、取出しシートの左右２箇所の上面を同時に引き上げる必要がある。
【０００７】
もし図７の様に、外装箱（１０）より、取出しシート（１１）の左面（１１ａ）だけを矢印Ｘの様に引き上げた場合、下面（１１ｂ）は右面（１１ｃ）との折曲部（１１ｄ）を支点として矢印Ｙの様に傾斜し破線の状態になろうとする。
【０００８】
ところが、その分、収納物（１２ａ〜１２ｅ）が収納されるべき左右の寸法が狭くなり、左面（１１ａ）と右面（１１ｃ）によって収納物（１２ａ〜１２ｅ）が挟まれ無理を生じるので、実際には破線の様には傾斜できず引き上げることはできない。
【０００９】
よって、特許文献１の取出し作業では、二人の場合は一人が外装箱（１０）を押さえ、他の一人が取出しシート（１１）を両手で引き上げる、あるいは、一人の場合は両足で外装箱（１０）をはさんで押さえながら取出しシートを手で引き上げるといった様な、困難な作業になる。
【００１０】
そこで、本発明は、この様な取出しシート（１１）を用いた外装箱において、左右上面のうち片方だけを引き上げても収納物を引き上げ可能な取出しシートを提案し、これにより、もう片方の手で外装箱を押さえながら、一人で容易に作業できる様にすることを目的とする。
【課題を解決するための手段】
【００１１】
上記の目的を達成するために、本発明に係る取出しシートは、
外装箱（１）の内部に敷き、収納物（３）を載せて収納する為の取出しシート（２）において、該取出しシートは、略長方形を成し、該長方形の短辺に並行な複数の折線を有し、該折線を介して、下面（２ｊ）と、該下面の左右に隣接する側面（２ｔ、２ｕ）に連接され、該下面は左右の距離が延びる様に伸縮機能を有することを特徴とする。
【００１２】
さらに、本発明に係る取出しシートは、
該取出しシートの該下面は、左下面（２ｋ）と右下面（２ｍ）を有し、該左下面と該右下面の間に、折線（２ｂ〜２ｅ）を介して左折返面（２ｍ）および中折返面（２ｎ）および右折返面（２ｏ）が連接され、該左折返面を該左下面の下側に略１８０度折返し、該中折返面を該左折返面の下側に略１８０度折返し、該右折返面を該右下面の下側に略１８０度折返し、該右折返面を該中折返面の下側に略１８０度折返し、該各折返しを戻すことによって、該下面部の距離が伸びる様に伸縮することを特徴とする。
【００１３】
さらに、本発明に係る取出しシートは、
該外装箱は、互いに隣接する一対の外フラップ（１ｈ、１ｉ）および所定の空間を隔てて隣接する一対の内フラップ（１ｆ、１ｇ）によって外装箱下面を形成し、該取出しシートは該下面の左右中央部において該左下面と該右下面に該二分割され、該中折返面が該下面下側の左右の略中央部に配置され、該外装箱に該取出しシートを収納した状態において、該中折返面は該一対の該内フラップ同士の該空間に収まることを特徴とする。
【発明の効果】
【００１４】
本発明に係る取出しシートによれば、左右いずれか片方の上面部のみを引き上げても、取出しシートの下面が左右方向に伸びるので、収納物を引き上げることができる。
【００１５】
さらに、本発明に係る取出しシートによれば、取出しシート下面の伸縮機構は下面の裏側だけで形成でき、収納物を搭載する表側を均一平面に形成することができる。
【００１６】
さらに、本発明に係る取出しシートによれば、取出しシート下面の伸縮機構を、外装箱の下面に所定の空間を隔てて隣接する一対の内フラップの空間内部に収めることができるので、余剰空間を利用して伸縮機構を収納し段差なく形成することができる。
【図面の簡単な説明】
【００１７】
【図１】本発明による包装部材の全体図
【図２】本発明による外装箱の詳細図
【図３】本発明による取出しシートの詳細図
【図４】取出しシートの接着に関する詳細図
【図５】取出しシートの隙間に関する詳細図
【図６】取出しシートを外装箱に収める詳細図
【図７】従来例による断面図
【発明を実施するための形態】
【００１８】
以下、本発明を実施するための形態を図面に基づいて説明する。
【実施例１】
【００１９】
本発明の第１実施例による取出しシートについて説明する。
【００２０】
図１は本発明による包装部材の全体図である。
【００２１】
１は外装箱で、ＡＢフルート材等の段ボールで形成された略直方体の箱で、下面（１ａ）、前面（１ｂ）、後面（１ｃ）、左面（１ｄ）、右面（１ｅ）にて構成している。
【００２２】
なお、本実施例において記載する、「上／下」、「左／右」、「前／後」の各方向は、この図１に記載した各方向に対応したものとする。
【００２３】
次に、２はその内部へ配置する取出しシートで、Ｂフルート材等の段ボールで形成された縦長のシートであり、外装箱（１）の下面（１ａ）を覆い、かつ左面（１ｄ）と右面（１ｅ）に接する様に折り曲げて収納する。
【００２４】
そして３は収納物である複数の化粧箱で、コートボール紙等で形成され、内部には別途商品等（図示しない）が収納されている。これらを、取出しシート（２）を敷いた外装箱（１）へ収納する様になっている。
【００２５】
次に、外装箱（１）の組立手順を説明する。
【００２６】
図２は外装箱（１）を斜め下から見た状態であり、まず図２Ａから図２Ｂの様に左右の内フラップ（１ｆ）と（１ｇ）を折り、左右寸法の中央にて所定の左右寸法Ｌの空間を隔てて隣接させる。
【００２７】
次に、図２Ｃの様に前後の外フラップ（１ｈ）と（１ｉ）を折って対向させると、今度は前後寸法の中央にて隙間なく互いに隣接する。これによって外装箱（１）の下面（１ａ）が形成されるので、これを図２Ｄ〜２Ｅの様に封緘テープ（１ｎ）で封緘して固定する。
【００２８】
次に、取出しシート（２）の詳細を説明する。
【００２９】
図３は取出しシート（２）の展開形状で、細長い長方形の形状を成し、その前後寸法は外装箱（１）の内側の前後寸法に収まる様に設定してある。２ａはその段目を示す目方向で、左右方向に設定してある。また、この取出しシート（２）は複数の折線（２ｂ〜２ｉ）によって各面が連接されている。
【００３０】
このうち２ｊは下面で、左右対称寸法の左下面（２ｋ）と右下面（２ｌ）に分かれており、その左右寸法の合計は、外装箱（１）の内側の左右寸法より所定量少なく設定している。
【００３１】
また、左下面（２ｋ）と右下面（２ｌ）の間には、左折返面（２ｍ）、中折返面（２ｎ）、右折返面（２ｏ）が、それぞれ折線（２ｂ〜２ｅ）を介して連接している。
【００３２】
そして左折返面（２ｍ）と右折返面（２ｏ）は左右対称寸法であり、中折返面（２ｎ）の中央部分が下面（２ｊ）全体の中央部分となる。
【００３３】
この中折返面（２ｎ）の左右寸法は、図５にある様に、先述した外装箱（１）の内フラップ（１ｆ）と（１ｇ）の間の左右寸法Ｌより所定量少なく設定してある。
【００３４】
また、左折返面（２ｍ）と右折返面（２ｏ）の左右寸法の合計は、中折返面（２ｎ）の左右寸法より所定量少なく設定してある。
【００３５】
そして、２ｐ〜２ｑは接着部で、この取出しシート（２）を折線（２ｂ〜２ｅ）で折った時に、その状態を維持するための仮固定として接着剤や両面テープ等を配置する部分である。同じく２ｒ〜２ｓも接着部であるが、これは裏面側に配置されている。
【００３６】
さらに、２ｔは左側面、２ｕは右側面で、それぞれ左下面（２ｋ）と右下面（２ｌ）に連接しており、２ｖは左上面、２ｗは右上面で、それぞれ左側面（２ｔ）と右側面（２ｕ）に連接し、それぞれ貫通穴２ｘおよび２ｙが設けてある。
【００３７】
本発明の第１実施例による包装装置は、以上の様に構成されている。
【００３８】
次に、この取出しシート（２）を折り曲げる過程を説明する。
【００３９】
まず、図３の取出しシート（２）を、折線（２ｂ）と（２ｅ）を山折り、折線（２ｃ）と（２ｄ）を谷折りに１８０度折る。そして図４Ａから図４Ｂの様に、左折返面（２ｍ）を左下面（２ｋ）の下側、中折返面（２ｎ）を左折返面（２ｍ）の下側、右折返面（２ｏ）を右下面（２ｌ）の下側、中折返面（２ｎ）を右折返面（２ｏ）の下側にそれぞれ折返す。
【００４０】
すると左下面（２ｋ）と右下面（２ｌ）が図４ｂの様に同一平面となって、取出しシート（２）の下面（２ｊ）を形成する。このとき、左折返面（２ｍ）と中折返面（２ｎ）と右折返面（２ｏ）は下面（２ｊ）の下側に折り返しているので、下面（２ｊ）の表面は突起物なく平らに形成できる。さらに先述の様に、左折返面（２ｍ）と右折返面（２ｏ）の左右寸法の合計は中折返面（２ｎ）の左右寸法より所定量多く設定してあるので、左下面（２ｋ）と右下面（２ｌ）の間には所定の隙間が確保され、直接ぶつかる事がない。よって下面（２ｊ）をきれいに同一平面にそろえることが容易である。
【００４１】
なお、先述の様に、右下面（２ｌ）と左下面（２ｋ）、および左折返面（２ｍ）と右折返面（２ｏ）は左右対称寸法なので、中折返面（２ｎ）は下面（２ｊ）裏側の中央部分に配置されることになる。
【００４２】
また、図４Ａから図４Ｂの様に折る過程である。左下面（２ｋ）と左折返面（２ｍ）を接着部（２ｒ）で接着し、左折返面（２ｍ）と中折返面（２ｎ）を接着部（２ｐ）で接着し、右下面（２ｌ）と右折返面（２ｏ）を接着部（２ｓ）で接着し、右折返面（２ｏ）と中折返面（２ｎ）を接着部（２ｑ）で接着する。こうすることで、図４Ｂの様に折った状態が維持されるので、以後の梱包作業が容易になる。さらに、折線（２ｆ）と（２ｇ）を折って左右の側面（２ｔ）と（２ｕ）を垂直にさせておく。
【００４３】
次に、この取出しシート２を使用した梱包作業を説明する。
【００４４】
まず、図５Ａから図５Ｂの様に、外装箱（１）へ先ほど折った取出しシート（２）を敷く。このとき先述の様に、取出しシート（２）は接着部（２ｐ〜２ｓ）で仮固定されているので下面（２ｊ）の形状が安定し、作業が容易である。
【００４５】
また、先述の様に、外装箱（１）には、左右寸法の中央において内フラップ（１ｆ）と（１ｇ）の間に左右寸法Ｌの空間があり、取出しシート（２）には、下面（２ｊ）裏側の中央部分に、寸法Ｌより所定量少ない左右寸法に設定された中折返面（２ｎ）がある。
【００４６】
よって、外装箱（１）へ取出しシート（２）を敷くと、図５Ｂの様に外装箱（１）の隙間部分に取出しシート（２）の中折返面（２ｎ）が収まり、内フラップ（１ｆ）と（１ｇ）による余剰空間を利用して取出しシート（２）を収納することができる。
【００４７】
こうして外装箱１へ敷いた取出しシート（２）の上へ、図５Ｃの様に複数の収納物（３ａ〜３ｅ）を載せて、左上面（２ｖ）と右上面（２ｗ）を内側へ折り、フラップ（１ｊ〜１ｍ）を閉じて梱包を完了させる。
【００４８】
次に、梱包を解き、取出しシート（２）を用いて収納物（３ａ〜３ｅ）を取り出す作業を説明する。これは一人で作業する場合を想定したものとする。
【００４９】
まず図６Ａの様に、フラップ（１ｊ）と（１ｋ）を開き、左上面（２ｖ）を起こす。そして右手で外装箱（１）を押さえつつ、左手で左上面（２ｖ）を持ち、そのまま取出しシート（２）を垂直に上へ引き上げる。
【００５０】
このとき、左上面（２ｖ）があるので掴んで取出しシート（２）を取り出し易く、さらに左上面（２ｖ）には貫通穴２ｘが設けてあるので保持しやすい。
【００５１】
そして引き上げる際は、従来例にて説明したのと同様に、下面（２ｊ）は右面（２ｕ）との折線（２ｇ）を支点としてそのまま傾斜することはできない。
【００５２】
しかし、本実施例では図４の様に下面（２ｊ）の中央で各折返面（２ｍ〜２ｏ）が折り畳まれ接着部（２ｐ〜２ｓ）にて仮固定されているので、この仮固定が外れ、下面（２ｊ）が左下面（２ｋ）と右下面（２ｌ）に分離することによって、引き上げが可能になる。
【００５３】
すなわち、図６Ｂの様に右下面（２ｌ）はそのまま動かないが、仮固定していた接着部（２ｐ）と（２ｒ）が外れ、折線（２ｃ）を支点として左折返面（２ｍ）が回転し、折線（２ｂ）を支点として左下面（２ｋ）が傾斜しながら浮き上がる。このため、収納物（３ａ）が外装箱（１）から浮き上がってくる。
【００５４】
このとき、先述の様に、取出しシート（２）は段ボールで形成され、目方向は左右方向に設定しているので、左下面２ｋが中折れすることなく収納物３を持ち上げることができる。そのまま右手で収納物（３ａ）をつかんで取り出せば、あとは取り出した空間から手を入れて、残りの収納物（３ｂ〜３ｅ）も、容易に取り出すことができる。
【００５５】
この様に、本発明による取出しシート２を用いれば、片手で外装箱（１）を押さえつつ、取出しシート（２）を持ち上げることが可能であり、容易に一人で取出し作業を行なうことができる。
【００５６】
なお、本実施例では、取出しシート（２）の下面（２ｊ）に複数の折返し面（２ｍ〜２ｏ）を設けることで伸縮機能を持たせている。しかし、これに限定されず、例えば下面（２ｊ）に伸縮性のある素材を使用したり、網目状の開孔やスリットを複数設けて伸縮可能にする等、様々な応用形態があってもよい。
【符号の説明】
【００５７】
１  外装箱、１ａ  下面、１ｂ  前面、１ｃ  後面、１ｄ  左面、１ｅ  右面、
１ｆ〜１ｇ  内フラップ、１ｈ〜１ｉ  外フラップ、１ｊ〜１ｍ  フラップ、
１ｎ  封緘テープ、２  ：取出しシート、２ａ  ：目方向、２ｂ〜２ｉ  ：折線、
２ｊ  下面、２ｋ  左下面、２ｌ  右下面、２ｍ  左折返面、２ｎ  中折返面、
２ｏ  右折返面、２ｐ〜２ｓ  接着部、２ｔ  左側面、２ｕ  右側面、２ｖ  左上面、
２ｗ  右上面、２ｘ〜２ｙ  貫通穴、３  収納物、３ａ〜３ｅ  収納物、１０  外装箱、
１１  取出しシート、１１ａ  左面、１１ｂ  下面、１１ｃ  右面、１１ｃ  折曲部、
１２  収納物、１２ａ〜１２ｅ  収納物
【図１】
2017145000.tif 000003
【図２】
2017145000.tif 000004
【図３】
2017145000.tif 000005
【図４】
2017145000.tif 000006
【図５】
2017145000.tif 000007
【図６】
2017145000.tif 000008
【図７】
2017145000.tif 000009